(57)【要約】      （修正有）【課題】上蓋の弾性片に施力して上蓋を取外しやすい構造を有する、ケース上蓋着脱装置の提供。【解決手段】上蓋に上下に貫通する二つの貫通孔が設けられ、二つの弾性片３が上蓋に組み付けられ並びに貫通孔に対応し、上蓋を取り外す時、使用者が直接上蓋の上方から下方に二つの弾性片の押圧部を押圧すると、二つの弾性片の固定端３１が上蓋に固定されているため、簡単に二つの弾性片に力を加えてその係合端３２をケースの係合構造より離脱させられ、上蓋を簡単に取り外せる。このほか、ケースの係合構造に斜端部が形成され、使用者が僅かな施力で弾性片の係合端を順調に係合構造に滑り込ませて自動位置決めさせられ、上蓋をケースに容易に取り付けることができる。【選択図】図４
2005150666.tif 000002
【特許請求の範囲】
【請求項１】
左側板と右側板を具え、該左側板と右側板の上端部分に係合構造が設けられたケースと、
該ケース上に閉じ合わされ、且つ上下に貫通する二つの貫通孔が該左側板と右側板の近隣位置に設けられた上蓋と、
該上蓋に組み付けられ並びに該貫通孔に対応し、二端に固定端、及び係合端が設けられ、該固定端が該上蓋の左側板及び右側板より離れた内側に固定され、該係合端が該ケースの左側板と右側板の係合構造に対応し、該固定端と該係合端の間の係合端に近い一側に押圧部が設けられ、該押圧部が該貫通孔内に収容され並びに上向きに露出する二つの弾性片と、
を具えたことを特徴とする、ケース上蓋着脱装置。
【請求項２】
請求項１記載のケース上蓋着脱装置において、ケースの係合構造が係合凹溝とされ、弾性片の係合端が係合凸縁とされたことを特徴とする、ケース上蓋着脱装置。
【請求項３】
請求項２記載のケース上蓋着脱装置において、係合凹溝に滑入部と係合部が形成され、弾性片の係合端が該滑入部より係合部内に滑入することを特徴とする、ケース上蓋着脱装置。
【請求項４】
請求項３記載のケース上蓋着脱装置において、滑入部と係合部の間にストッパ部が形成され、弾性片の係合端が滑入部より係合部内に滑入して該ストッパ部と係合することを特徴とする、ケース上蓋着脱装置。
【請求項５】
請求項４記載のケース上蓋着脱装置において、ストッパ部の少なくとも一つにケースの前側より後ろ側に向けて斜端部が設けられ、弾性片の該斜端部に対応する一側の係合端が斜端部に沿って対応する係合部内に滑入することを特徴とする、ケース上蓋着脱装置。
【請求項６】
請求項１記載のケース上蓋着脱装置において、上蓋が逆Ｕ形を呈し且つ二側に左板、及び右板が形成され、該左板と右板がケースの左側板、右側板の上に閉じ合わされることを特徴とする、ケース上蓋着脱装置。
【請求項７】
請求項６記載のケース上蓋着脱装置において、ケースの左側板と右側板に少なくとも一つの位置決め滑り溝が形成され、上蓋の左板と右板に、該位置決め滑り溝に対応して滑り込む少なくとも一つの位置決め凸柱が形成されたことを特徴とする、ケース上蓋着脱装置。
【発明の詳細な説明】
【技術分野】
【０００１】
本発明は一種のケース上蓋着脱装置に係り、特に、コンピュータ装置のケース上蓋に適用される着脱装置に関する。
【背景技術】
【０００２】
一般にコンピュータ装置において、異なるコンピュータ部品をケース内に収容した後に、上蓋でケースを閉じ、並びに複数のネジで上蓋を固定して組立を完成する。これは早期の設計方式である。
【０００３】
後に、ネジの着脱が面倒であることから、係合構造を利用して上蓋をケースに取り付ける設計方式が出現し、それは、上蓋に係合機構を設け、ケースに該係合機構に対応する係合手段を設け、係合機構と係合手段の相互係合作用により、上蓋をケースに組み付ける、というものである。
【０００４】
伝統的な係合機構には通常弾性片が設計され、弾性片の変形によりケースの係合手段との係合或いは離脱を達成するが、伝統的な弾性片の施力はケースの両側よりケース内部の方向に向けての横向き施力であり、このとき弾性片の支点は上蓋に固定されてしまい、使用者が施力しにくい、という問題を形成した。
【０００５】
このほか、伝統的な係合手段はケースに形成され、比較的よく使用されている設計は、係合凹溝である。この係合凹溝はスライド補助の設計がなく、上蓋の係合機構に円滑機能を有する手段、例えば銅柱等を形成して上蓋の係合機構を順調にケースの係合手段内に係合させなければならず、この設計は部品数を増加させ、製造上或いは組立上極めて不便である。
【発明の開示】
【発明が解決しようとする課題】
【０００６】
本発明の主要な目的は、ケース上蓋着脱装置を提供することにあり、それは上蓋の弾性片に施力して上蓋を取り外しやすい構造を有するものとする。
【０００７】
本発明のもう一つの目的は、ケース上蓋着脱装置を提供することにあり、それは上蓋をケースに滑り込ませやすく並びに自動位置決めさせられる構造を有するものとする。
【課題を解決するための手段】
【０００８】
請求項１の発明は、左側板と右側板を具え、該左側板と右側板の上端部分に係合構造が設けられたケースと、
該ケース上に閉じ合わされ、且つ上下に貫通する二つの貫通孔が該左側板と右側板の近隣位置に設けられた上蓋と、
該上蓋に組み付けられ並びに該貫通孔に対応し、二端に固定端、及び係合端が設けられ、該固定端が該上蓋の左側板及び右側板より離れた内側に固定され、該係合端が該ケースの左側板と右側板の係合構造に対応し、該固定端と該係合端の間の係合端に近い一側に押圧部が設けられ、該押圧部が該貫通孔内に収容され並びに上向きに露出する二つの弾性片と、
を具えたことを特徴とする、ケース上蓋着脱装置としている。
請求項２の発明は、請求項１記載のケース上蓋着脱装置において、ケースの係合構造が係合凹溝とされ、弾性片の係合端が係合凸縁とされたことを特徴とする、ケース上蓋着脱装置としている。
請求項３の発明は、請求項２記載のケース上蓋着脱装置において、係合凹溝に滑入部と係合部が形成され、弾性片の係合端が該滑入部より係合部内に滑入することを特徴とする、ケース上蓋着脱装置としている。
請求項４の発明は、請求項３記載のケース上蓋着脱装置において、滑入部と係合部の間にストッパ部が形成され、弾性片の係合端が滑入部より係合部内に滑入して該ストッパ部と係合することを特徴とする、ケース上蓋着脱装置としている。
請求項５の発明は、請求項４記載のケース上蓋着脱装置において、ストッパ部の少なくとも一つにケースの前側より後ろ側に向けて斜端部が設けられ、弾性片の該斜端部に対応する一側の係合端が斜端部に沿って対応する係合部内に滑入することを特徴とする、ケース上蓋着脱装置としている。
請求項６の発明は、請求項１記載のケース上蓋着脱装置において、上蓋が逆Ｕ形を呈し且つ二側に左板、及び右板が形成され、該左板と右板がケースの左側板、右側板の上に閉じ合わされることを特徴とする、ケース上蓋着脱装置としている。
請求項７の発明は、請求項６記載のケース上蓋着脱装置において、ケースの左側板と右側板に少なくとも一つの位置決め滑り溝が形成され、上蓋の左板と右板に、該位置決め滑り溝に対応して滑り込む少なくとも一つの位置決め凸柱が形成されたことを特徴とする、ケース上蓋着脱装置としている。
【発明の効果】
【０００９】
本発明のケース上蓋着脱装置は上蓋の弾性片に施力して上蓋を取り外しやすく、また、上蓋をケースに滑り込ませやすく並びに自動位置決めさせられる。
【発明を実施するための最良の形態】
【００１０】
本発明のケース上蓋着脱装置は、ケース、上蓋、及び二つの弾性片を具えている。そのうち、ケースは左側板、及び右側板を具え、且つ左側板と右側板の上端部分に係合構造が設けられ、上蓋はケースを閉じるように設けられ、且つ上蓋に上下に貫通する二つの貫通孔が設けられ、この二つの貫通孔はケースの左側板と右側板に近い位置に設けられる。
【００１１】
また、二つの弾性片は上蓋に組み付けられ並びにそれぞれ上蓋の上記貫通孔に対応し、各弾性片の二端に固定端と係合端が設けられ、該固定端は上蓋の左側板及び右側板から離れた内側に固定され、係合端はケースの係合構造に対応しそれと係合する。このほか、各弾性片に押圧部が形成され、該押圧部は固定端と係合端の間に位置し且つ係合端に隣接する一側に位置する。また押圧部は上蓋の二つの貫通孔内に収容され並びに上向きに露出する。
【００１２】
上蓋をケースより取り外すときは、使用者は直接二つの弾性片の押圧部上に施力する。この時、押圧の施力の方向は直接上蓋の上方より下方に向き、且つ二つの弾性片の固定端もまた上蓋に固定されているため、使用者は簡単に二つの弾性片に施力してそれを固定端を支点として下向きに折り曲げることができ、並びにその係合端をケースの係合構造より離脱させ、上蓋をケースより簡単に取り外すことができる。
【００１３】
このほか、上述のケースの係合構造は係合凹溝とされ得て、且つ二つの弾性片の係合端はそれぞれ係合凸縁とされ、且つ係合凹溝に滑入部と係合部が設けられ、滑入部と係合部の間にストッパ部が設けられ、少なくとも一つのストッパ部にケースの前側より後ろ向きに斜めに斜端部が形成されている。二つの弾性片の係合端が滑入部より係合部内に滑り込む時、二つの弾性片の斜端部に対応する一側の係合端は斜端部に沿って対応する係合部内に滑り込み、すなわち使用者は僅かな施力で係合端を順調に滑り込ませてストッパ部に係合させ自動位置決めさせることができ、上蓋をケースに簡単に組み付けることができる。
【実施例１】
【００１４】
図１は本発明の分解斜視図である。図１にはケース１及び上蓋２が示され、そのうちケース１は左側板１１と右側板１２を具えている。この左側板１１と右側板１２はその上端部分にそれぞれ係合構造１３、１４が設けられ、上蓋２は逆Ｕ形を呈し並びにその二側に左板２３及び右板２４が形成されている。且つこの左板２３と右板２４はケース１の左側板１１、右側板１２上に閉じ合わされる。
【００１５】
図１、２を共に参照されたい。図２は図１の左側板の側面図である。図３は図１の右側板の側面図である。上述のケース１の左側板１１、右側板１２の係合構造１３、１４はそれぞれ係合凹溝とされ、且つそれにそれぞれ滑入部１３１、１４１と係合部１３２、１４２が形成され、滑入部１３１、１４１と係合部１３２、１４２の間にストッパ部１３３、１４３が形成され、これらストッパ部１３３、１４３の下端部分にケース１の前側より後ろ側に向けて斜めに斜端部１３４、１４４が形成されている。
【００１６】
図１と共に図４の本発明の上蓋の別視角からの斜視図を参照されたい。上蓋２には別に上下に貫通する二つの貫通孔２１、２２が設けられ、この二つの貫通孔２１、２２はケース１の左側板１１と右側板１２近くに位置する。
【００１７】
このほか、上蓋２の二つの貫通孔２１、２２に対応する部分に弾性片３が組み付けられ、各弾性片３の二端に固定端３１、及び係合端３２が形成されている。そのうち、固定端３１は上蓋２のケース１の左側板１１及び右側板１２より離れた内側に固定され、係合端３２は係合凸縁とされ且つケース１の係合構造１３、１４内に係合される。この部分の二つの弾性片３は共用式設計とされることに注意されたい。すなわち、二つの弾性片３は同じ構造を有し相互に位置を交換して使用可能であり、製造上、極めて便利で且つコストを節約でき、また上蓋２との組み付けプロセス上も簡易化できる。
【００１８】
図１、２、３、４、及び、図５の本発明の上蓋の組立の動作表示図を参照されたい。二つの弾性片３には押圧部３３が形成され、それは固定端３１と係合端３２の間の係合端３２に近い一側に位置し、且つ押圧部３３は上蓋２の貫通孔２１、２２内に収容され上向きに露出している。
【００１９】
上蓋２をケース１に組み付ける時、上蓋２をケース１の上にかぶせ、並びに上蓋２の弾性片３の係合端３２をケース１の係合構造１３、１４の滑入部１３１、１４１内に対応させて滑り込ませ、その後、軽く力を入れて上蓋２をケース１の前側に向けてスライドさせる。このとき、弾性片３の係合端３２は係合構造１３、１４の斜端部１３４、１４４の案内を受け、その固定端３１を支点として下向きの折れ曲がり変形し、その後、係合端３２が順調に係合構造１３、１４の係合部１３２、１４２内に滑入し、さらに係合構造１３、１４のストッパ部１３３、１４３に係合し、こうして自動位置決め方式で上蓋２とケース１の組立が完成する。
【００２０】
上述のケース１の左側板１１と右側板１２には位置決め滑り溝１１２、１２２を形成可能であり、且つ上蓋２の左板２３、右板２４に別に位置決め凸柱２３１、２４１を形成可能であり、上蓋２をケース１に閉じ合わせる時に、位置決め凸柱２３１、２４１が位置決め滑り溝１１２、１２２に対応しスライド可能に嵌合されて位置決め案内作用を形成する。
【００２１】
図１、４及び図６の本発明の上蓋取り外しの動作表示図を参照されたい。上蓋２をケース１より取り外す時、直接二つの弾性片３の押圧部３３上に施力すると（図６の矢印参照）、押圧の施力の方向は直接上蓋２の上方より下方とされ、且つ二つの弾性片３の固定端３１が同様に上蓋２に固定されているため、簡単に二つの弾性片３に施力してその固定端３１を支点として下向きに折り曲げることができ、その後、上蓋２をケース１の後方に向けて僅かに移動させれば弾性片３の係合端３２がケース１の係合構造１３、１４より離脱し、上蓋２をケース１より取り外すことができる。
【００２２】
以上から分かるように、上蓋２を組み立てる時は、ケース１に簡単に滑入させて自動位置決めでき、上蓋２を取り外す時も、上蓋２の弾性片３に施力するのが容易であり、極めて大きな使用の便利性を形成できる。
【００２３】
このほか、図１、４及び図６に示されるように、上蓋２の二つの貫通孔２１、２２に近い部分に下向きに一体に限位フック２５を形成可能で、弾性片３が押圧されて下向きに折れ曲がる時に、その折り曲げの変形量を制限して施力過大による弾性片３の切断を防止することができる。限位フック２５は一体成形方式で上蓋２に形成され、伝統的なリベット、或いはこのほかの部品を利用した組み付け方式に較べ、製造のプロセスを簡易化でき並びに製造コストを減らすことができる。
【００２４】
以上の実施例は本発明の実施範囲を限定するものではなく、本発明に基づきなしうる細部の修飾或いは改変は、いずれも本発明の請求範囲に属するものとする。
【図面の簡単な説明】
【００２５】
【図１】本発明の分解斜視図である。
【図２】図１の左側板の側面図である。
【図３】図１の右側板の側面図である。
【図４】本発明の上蓋の別視角からの斜視図である。
【図５】本発明の上蓋の組立の動作表示図である。
【図６】本発明の上蓋取り外しの動作表示図である。
【符号の説明】
【００２６】
１  ケース              １１  左側板                １１２  位置決め滑り溝
１２  右側板            １２２  位置決め滑り溝      １３  係合構造
１３１  滑入部          １３２  係合部              １３３  ストッパ部
１３４  斜端部          １４  係合構造              １４１  滑入部
１４２  係合部          １４３  ストッパ部          １４４  斜端部
２  上蓋                ２１  貫通孔                ２２  貫通孔
２３  左板              ２３１  位置決め凸柱        ２４  右板
２４１  位置決め凸柱    ２５  限位フック            ３  弾性片
３１  固定端            ３２  係合端                ３３  押圧部
【図１】
2005150666.tif 000003
【図２】
2005150666.tif 000004
【図３】
2005150666.tif 000005
【図４】
2005150666.tif 000006
【図５】
2005150666.tif 000007
【図６】
2005150666.tif 000008